(57)【特許請求の範囲】
【請求項１】
上に開いた筒状の容器と、同容器の側周部に上下方向に穿孔された挿通孔に摺動自在に且つ抜け止めを備えて挿通された制御棒と、同制御棒の下端側に取付け取外し可能なポートプラグと、前記容器の上方で前記制御棒を摺動自在に且つ気密的に挿通する下に開いた円筒状の容器カバーとを有し、前記容器カバーは閉鎖系水槽の上向きの水槽ポートに気密的に取付けられ且つ取外し可能であり、前記制御棒の押し下げにより前記容器およびポートプラグは前記水槽ポートから前記閉鎖系水槽中に位置するとともに、前記制御棒の引き上げにより、前記容器は前記容器カバー内に気密的に位置し、前記ポートプラグは前記水槽ポート内周に気密的に係止されることを特徴とする閉鎖系水槽のアクセス装置。
【請求項２】
請求項１に記載の閉鎖系水槽のアクセス装置において、前記容器は、同容器により前記閉鎖系水槽内の水棲生物の取出し、挿入を行なう捕獲容器であることを特徴とする閉鎖系水槽のアクセス装置。
【請求項３】
請求項１に記載の閉鎖系水槽のアクセス装置において、前記容器は、同容器により前記閉鎖系水槽内の水棲生物の餌の取出し、挿入を行なう給餌容器であって、同容器の上面には取付け取外し可能に網が設けられてなることを特徴とする閉鎖系水槽のアクセス装置。
【発明の詳細な説明】
【０００１】
【発明の属する技術分野】
本発明は、閉鎖系水槽におけるアクセス装置、特に水棲生物および餌の取出、挿入装置に関する。
【０００２】
【従来の技術】
従来の閉鎖系における水棲生物の飼育ラインでは、閉鎖系水槽内の水棲生物や餌の取出、挿入の際に一度水槽を開放していた。そのため、継続して実施している閉鎖系実験が一度中断されてしまっていた。また、宇宙環境においては、飼育水のリークが許されないため、閉鎖系水槽内の水棲生物や餌の取出、挿入操作そのものが困難であった。
【０００３】
【発明が解決しようとする課題】
本発明は、閉鎖系を崩さず、外部へ飼育水をリークすることなく、閉鎖系水槽内に物の取出し、挿入が可能な、例えば、閉鎖系水槽内の水棲生物の取出し、挿入を可能とし、また他の同様の閉鎖水槽との間の生物の移動を可能にし、あるいは閉鎖系水槽内の水棲生物に対する給餌を可能とし、また、残餌を水槽に残さないで新たな餌と入れ替えることを可能とする、閉鎖系水槽のアクセス装置を提供することを課題とする。
【０００４】
【課題を解決するための手段】
（１）本発明は上記の課題を解決するためになされたものであり、その第１の手段として、上に開いた筒状の容器と、同容器の側周部に上下方向に穿孔された挿通孔に摺動自在に且つ抜け止めを備えて挿通された制御棒と、同制御棒の下端側に取付け取外し可能なポートプラグと、前記容器の上方で前記制御棒を摺動自在に且つ気密的に挿通する下に開いた円筒状の容器カバーとを有し、前記容器カバーは閉鎖系水槽の上向きの水槽ポートに気密的に取付けられ且つ取外し可能であり、前記制御棒の押し下げにより前記容器およびポートプラグは前記水槽ポートから前記閉鎖系水槽中に位置するとともに、前記制御棒の引き上げにより、前記容器は前記容器カバー内に気密的に位置し、前記ポートプラグは前記水槽ポート内周に気密的に係止されることを特徴とする閉鎖系水槽のアクセス装置を提供するものである。
【０００５】
上記第１の手段によれば、閉鎖系水槽の閉鎖系を崩さず、外部へ閉鎖系水槽の水をリークすることなく、閉鎖系水槽内に物の取出し、挿入が可能となる。
【０００６】
（２）第２の手段としては、第１の手段の閉鎖系水槽のアクセス装置において、前記容器は、同容器により前記閉鎖系水槽内の水棲生物の取出し、挿入を行なう捕獲容器であることを特徴とする閉鎖系水槽のアクセス装置を提供する。
【０００７】
第２の手段によれば、第１の手段の作用に加え、特に、飼育水をリークすることなく閉鎖系水槽内の水棲生物の取出し、挿入を可能とし、また他の同様の閉鎖水槽との間の生物の移動を可能にする。
【０００８】
（３）また、第３の手段として、第１の手段の閉鎖系水槽のアクセス装置において、前記容器は、同容器により前記閉鎖系水槽内の水棲生物の餌の取出し、挿入を行なう給餌容器であって、同容器の上面には取付け取外し可能に網が設けられてなることを特徴とする閉鎖系水槽のアクセス装置を提供する。
【０００９】
第２の手段によれば、第１の手段の作用に加え、特に、飼育水をリークすることなく閉鎖系水槽内の水棲生物に対する給餌を可能とし、また、残餌を水槽に残さないで新たな餌と入れ替えることを可能にする。
【００１０】
【発明の実施の形態】
図１から図３に基づき、本発明の実施の第１形態にかかる閉鎖系水槽のアクセス装置を説明する。図１（ａ）は、本実施の形態の閉鎖系水槽のアクセス装置である水棲生物の捕獲器の一部を断面とした正面図であり、同図（ｂ）は（ａ）中Ａ−Ａ矢視図である。図２は図１中の捕獲器と水槽ポート部の詳細説明図、図３は本実施の形態における水棲生物取出要領の説明図である。
【００１１】
図１、図２において、１は閉鎖系水槽のアクセス装置である捕獲器を示し、１２は閉鎖系水槽による水棲生物の飼育を行なうための水槽である。捕獲器１のノブ２には制御棒４が２本、その上端側で回転自在に且つ図示しない抜け止めを備えて係止されており、制御棒４は捕獲容器カバー６のカバー頂部６１にＯリング７を介して回転自在、摺動自在且つ気密的に挿通されるとともに、上に開いた円筒容器状の捕獲容器１０の側周部を縦に貫通する挿通部１０ａに回転自在、摺動自在に挿通され、その下端部は上端部に設けられた蝶ネジ３を回すことにより捕獲ポートプラグ１１の袋状のネジ部１１ａにねじ込まれ螺合するようになっている。
【００１２】
また、カバー頂部６１の外周にはカバー側部６２が回転自在に嵌合し両者で下に開いた円筒状の捕獲容器カバー６を構成しており、カバー側部６２の下端側内周には、後述の水槽１２の上部で上向きに開口する水槽ポート１３の外周のネジ部１３ａに螺合するネジ部６ａが設けられている。
【００１３】
制御棒４はノブ２と捕獲容器１０に回転自在に挿通されているが、捕獲容器１０から抜け出さないように図示しない抜け止めが備えられており、ノブ２、制御棒４、捕獲容器カバー６、捕獲容器１０は一体的に組み立てられている。捕獲ポートプラグ１１は、制御棒４の蝶ネジ３を回すことによって制御棒４の先端部がネジ部１１ａに螺合し、固定、取外し可能に取付けられており、以上によって捕獲器１が構成される。
【００１４】
捕獲器１は水槽１２に、捕獲容器カバー６のカバー側部６２内周のネジ部６ａを水槽ポート１３のネジ部１３ａに螺合させて気密的に取り付けられる。すなわち、カバー側部６２の内周に設けられたＯリング９が水槽ポート１３の外周面に密着し水槽１２内は密閉される。
【００１５】
また、捕獲ポートプラグ１１と捕獲容器１０は、水槽ポート１３の内周を通過できる外径に形成されており、ノブ２を押し下げることにより制御棒４が押し下げられ、水槽ポート１３を通過して水槽１２中に位置し、ノブ２をさらに下方へ押すことにより捕獲ポートプラグ１１を水槽１２の底面に位置することができる。
【００１６】
その状態で、水槽１２内において網１２ａ等で捕獲容器１０の外周上部付近に水棲生物を集め、ノブ２を引き上げることにより制御棒４が引き上げられて、水棲生物が捕獲容器１０に入り、捕獲容器１０は捕獲容器カバー６内に気密的に収まることになる。すなわち、捕獲容器カバー６内面に設けられたパッキン８で密閉され、水槽内の水棲生物は捕獲容器１０内に密封される。
【００１７】
この時、捕獲容器１０内と水槽１２間に差圧が発生するおそれがあるが、カバー頂部６１に設けられた調圧ポート５と、水槽１２の調圧ポート１５とをチューブで繋ぐことで差圧の発生を防ぐことができる。
【００１８】
その後、蝶ネジ３をまわすことにより捕獲ポートプラグ１１が制御棒から取り外され、捕獲容器１０と捕獲ポートプラグ１１が切り離される。捕獲容器カバー６のカバー側部６２を回すことにより、カバー側部６２のネジ部６ａと水槽ポート１３のネジ部１３ａの螺合が解除され、捕獲器１のノブ２から捕獲容器１０までが水棲生物を密封しながら水槽１２から取外されることになる。
【００１９】
また、水槽ポート１３の内周には捕獲ポートプラグ１１が残るが、水槽ポート１３の内周に設けられたＯリング１４が捕獲ポートプラグ１１の外周に密着して気密的に係止されるので、水槽１２内は密閉された状態を保つことができる。
【００２０】
以上述べた捕獲器１の操作を、図３の水棲生物取出要領の説明図で説明する。図３の（ａ）では水槽１２内において網１２ａで隔離された領域に生物試料が存在し、（ｂ）の状態では、網１２ａを移動させることによって、捕獲容器１０の円周上部に生物試料を追い込む。
【００２１】
（ｃ）の状態ではノブ２を引き上げることによって制御棒４が引き上げられ、捕獲容器１０を上部へ上げている。（ｄ）の状態では、捕獲ポートプラグ１１が水槽ポート１３に入り、水槽ポート１３の内周のＯリング１４により、シールされている。また、捕獲ポートプラグ１１は蝶ネジ３を操作することにより捕獲容器１０から離れて、捕獲容器１０以上の構成品が、水槽１２から離れている。
【００２２】
捕獲容器１０には生物試料が追い込まれており、水槽１２は捕獲容器１０を取り外した後も、（ｅ）の状態で捕獲ポートプラグ１１により密閉を維持している。
【００２３】
以上のように、閉鎖系水槽を開放することなく、また飼育水をリークすることなく水槽１２から生物試料を取出すことを可能にしている。
【００２４】
また、上記の逆操作により、外部から生物試料を閉鎖系水槽内に、閉鎖系を崩すことなく、また飼育水をリークすることなく、取り入れることが可能となる。
【００２５】
以上、本実施の形態の閉鎖系水槽のアクセス装置である水棲生物の捕獲器１によれば、閉鎖系を崩さず、外部へ飼育水をリークすることなく、水槽１２内の水棲生物の取出し、挿入を可能とし、また他の同様水槽間における生物の移動を可能にする。
【００２６】
図４、図５に基づき、本発明の実施の第２形態にかかる閉鎖系水槽のアクセス装置を説明する。図４（ａ）は、本実施の形態の閉鎖系水槽のアクセス装置である水棲生物の給餌器の一部を断面とした正面図であり、同図（ｂ）は（ａ）中Ｂ−Ｂ矢視図、（ｃ）は（ａ）中Ｃ−Ｃ矢視図である。図５は本実施の形態における水棲生物給餌要領の説明図である。
【００２７】
図４、図５において、１０１は本実施の形態の閉鎖系水槽のアクセス装置である給餌器を示し、１１２は閉鎖系水槽による水棲生物の飼育を行なうための水槽である。給餌器１０１には、図１、２における捕獲容器１０、捕獲ポートプラグ１１、捕獲容器カバー６に代えて、給餌容器１１０、給餌ポートプラグ１１１、給餌容器カバー１０６が設けられているが、構造は同様である。
【００２８】
ただし、給餌容器１１０は捕獲容器１０と同様に上に開いた円筒状容器であるが、その上面には、図３（ｃ）に示すように、網１１０ｂが覆うように取付け取外し可能に設けられている点が異なる。
【００２９】
以上の他、ノブ１０２、蝶ネジ１０３、制御棒１０４、調圧ポート１０５、給餌容器カバー１０６のネジ部１０６ａ、カバー頂部１６１、カバー側部１６２、Ｏリング１０７、パッキン１０８、Ｏリング１０９、給餌ポートプラグ１１１のネジ部１１１ａ、水槽ポート１１３、ネジ部１１３ａ、Ｏリング１１４、調圧ポート１１５等は、図１、図２のノブ２、蝶ネジ３、制御棒４、調圧ポート５、給餌容器カバー６のネジ部６ａ、カバー頂部６１、カバー側部６２、Ｏリング７、パッキン８、Ｏリング９、給餌ポートプラグ１１のネジ部１１ａ、水槽ポート１３、ネジ部１３ａ、Ｏリング１４、調圧ポート１５等と同じであり、説明を省略する。
【００３０】
本実施の形態の給餌器１０１においては、給餌容器１１０内に固形餌を入れ、給餌器１０１は水槽１１２に、給餌容器カバー１０６のネジ部１０６ａと水槽ポート１１３のネジ部１１３ａを螺合することによって装着される。その際、水槽１１２内はＯリング１０９により密閉される。
【００３１】
また、水槽１１２内には給餌容器１１０と給餌ポートプラグ１１１が入っており、ノブ１０２を下方へ押すことにより制御棒１０４が押し下げられ、水槽１１２の底面に位置することができる。その状態で、水槽内にいる水棲生物に対して給餌を行なうが、給餌容器１１０の中の固形餌は、給餌容器１１０の上面に網１１０ｂが取り付けられているので、飛び散ることがない。
【００３２】
その後ノブ１０２を引き上げると制御棒１０４が引き上げられ、給餌容器１１０が給餌容器カバー１０６内に収まる。その際給餌容器１１０内面に設けられたパッキン１０８で密閉され、残餌は給餌容器１１０内に密閉される。この時、給餌容器１１０内と水槽１１２間に差圧が発生するおそれがあるが、両者の調圧ポート１０５、１１５をチューブで繋ぐことで差圧の発生を防ぐことができる。
【００３３】
その後、蝶ネジ０３を回すことにより給餌容器１１０から給餌ポートプラグ１１１が切り離され、給餌容器カバー１０６のカバー側部１６２を回すことにより、給餌ポートプラグ１１１以外の給餌器１０１は残餌を密閉して水槽１１２から取外されることになる。
【００３４】
また、水槽ポート１１３には給餌ポートプラグ１１１が残り、水槽ポート１１３内周のＯリング１１４が給餌ポートプラグ１１１外周に密着して水槽１１２内の密閉を維持する。
【００３５】
新たに給餌する場合は、給餌容器１１０から残餌を取出し、新たな餌を入れて、上記逆の操作を行なう。
【００３６】
以上述べた給餌器１０１の操作を、図３の水棲生物給餌要領の説明図で説明する。
【００３７】
図５の（ａ）は給餌容器１１０に新たな餌が封入された状態で、（ｂ）は給餌容器１１０が水槽１１２の水槽ポート１１３に入り、給餌容器カバー１０６から離れて水槽１１２内に挿入されている状態である。
【００３８】
（ｃ）は給餌容器１１０が給餌ポートプラグ１１１とともに水槽１２の底面に位置しており給餌状態である。
【００３９】
（ｄ）は給餌が終わり、残餌が入った給餌容器１１０を引き上げている状態であり、（ｅ）は残餌が封入された給餌容器を水槽から取出している状態である。この状態では、水槽１１２の水槽ポート１１３は給餌ポートプラグ１１１により密閉されている。
【００４０】
以上の本実施の形態の閉鎖系水槽のアクセス装置である水棲生物の給餌器１０１によれば、閉鎖系を崩さず、外部へ飼育水をリークすることなく、水槽１１２内の水棲生物に対する給餌を可能とし、また、水質悪化の原因となる残餌を水槽１１２に残さないで新たな餌と入れ替えることが可能となる。
【００４１】
以上本発明の実施の形態を説明したが、上記実施の形態に限定されるものではなく、本発明の範囲内でその具体的構造に種々の変更を加えてもよいことは言うまでもない。
【００４２】
例えば、制御棒４または１０４はその下端部を捕獲ポートプラグ１１または給餌ポートプラグ１１１に螺合して取付け取外し可能になっているが、制御棒４または１０４の下端に制御棒上端から操作できる適宜なクランプ等の取付け取外し構造を設けて螺合に代えてもよく、その場合は制御棒４または１０４は必ずしも回転自在とする必要はない。
【００４３】
また、捕獲容器カバー６または給餌容器カバー１０６は水槽ポート１３または１１３の外周に気密的に螺合し取付け取外し可能になっているが、螺合に代える適宜なクランプ等の取付け取外し構造によってもよく、その場合は捕獲容器カバー６または給餌容器カバー１０６は必ずしもカバー頂部とカバー側部に分ける必要はない。
【００４４】
また、制御棒４、１０４は２本の場合を示したが、本数は限定されるものではない。制御棒を係止するノブ２、１０２は必ずしも図示の形態のものでなくともよく、個々の制御棒毎のものでもよく、さらに省いてもよい。
【００４５】
【発明の効果】
（１）請求項１の発明によれば、閉鎖系水槽のアクセス装置を、上に開いた筒状の容器と、同容器の側周部に上下方向に穿孔された挿通孔に摺動自在に且つ抜け止めを備えて挿通された制御棒と、同制御棒の下端側に取付け取外し可能なポートプラグと、前記容器の上方で前記制御棒を摺動自在に且つ気密的に挿通する下に開いた円筒状の容器カバーとを有し、前記容器カバーは閉鎖系水槽の上向きの水槽ポートに気密的に取付けられ且つ取外し可能であり、前記制御棒の押し下げにより前記容器およびポートプラグは前記水槽ポートから前記閉鎖系水槽中に位置するとともに、前記制御棒の引き上げにより、前記容器は前記容器カバー内に気密的に位置し、前記ポートプラグは前記水槽ポート内周に気密的に係止されるように構成したので、閉鎖系水槽の閉鎖系を崩さず、外部へ閉鎖系水槽の水をリークすることなく、閉鎖系水槽内に物の取出し、挿入が可能となり、閉鎖系実験を中断することなく継続して実施することができる。特に、閉鎖系水槽内の水のリークが許されない宇宙環境においても、閉鎖系実験中の物の取出、挿入操作が可能となる。
【００４６】
（２）請求項２の発明によれば、請求項１に記載の閉鎖系水槽のアクセス装置において、前記容器は、同容器により前記閉鎖系水槽内の水棲生物の取出し、挿入を行なう捕獲容器であるように構成したので、請求項１の発明の効果に加え、特に、飼育水をリークすることなく閉鎖系水槽内の水棲生物の取出し、挿入を可能とし、また他の同様の閉鎖水槽との間の生物の移動が可能になる。
【００４７】
（３）また、請求項３の発明によれば、請求項１に記載の閉鎖系水槽のアクセス装置において、前記容器は、同容器により前記閉鎖系水槽内の水棲生物の餌の取出し、挿入を行なう給餌容器であって、同容器の上面には取付け取外し可能に網が設けられてなるように構成したので、請求項１の発明の効果に加え、特に、飼育水をリークすることなく閉鎖系水槽内の水棲生物に対する給餌を可能とし、また、残餌を水槽に残さないで新たな餌と入れ替えることが可能になる。
【図面の簡単な説明】
【図１】本発明の実施の第１形態にかかる閉鎖系水槽のアクセス装置としての閉鎖系水槽の水棲生物捕獲装置の説明図であり、（ａ）はその一部を断面とした正面図、（ｂ）は（ａ）中Ａ−Ａ矢視図である。
【図２】図１中の捕獲器と水槽ポート部の詳細説明図である。
【図３】実施の第１形態における水棲生物取出要領の説明図である。
【図４】本発明の実施の第２形態にかかる閉鎖系水槽のアクセス装置としての閉鎖系水槽の水棲生物給餌装置の説明図であり、（ａ）はその一部を断面とした正面図、（ｂ）は（ａ）中Ｂ−Ｂ矢視図、（ｃ）は（ａ）中Ｃ−Ｃ矢視図である。
【図５】実施の第２形態における水棲生物給餌要領の説明図である。
【符号の説明】
１                  捕獲器
１０１              給餌器
２、１０２          ノブ
３、１０３          蝶ネジ
４、１０４          制御棒
５、１０５          調圧ポート
６                  捕獲容器カバー
１０６              給餌容器カバー
６ａ、１０６ａ      ネジ部
６１、１６１        カバー頂部
６２、１６２        カバー側部
７、１０７          Ｏリング
８、１０８          パッキン
９、１０９          Ｏリング
１０                捕獲容器
１１０              給餌容器
１０ａ、１１０ａ    挿通孔
１１０ｂ            網
１１                捕獲ポートプラグ
１１１              給餌ポートプラグ
１１ａ、１１１ａ    ネジ部
１２、１１２        水槽
１２ａ              網
１３、１１３        水槽ポート
１４、１１４        Ｏリング
１５、１１５        調圧ポート
【図１】
0003993367.tif 000002
【図２】
0003993367.tif 000003
【図３】
0003993367.tif 000004
【図４】
0003993367.tif 000005
【図５】
0003993367.tif 000006